(57)【要約】  【課題】  グランド表面がベタついたり、滑りやすくなったりして、グランドコンディションを悪化させるという新たな問題を招来することなく、夏季の炎天下におけるグランド表面温度の異常な上昇を抑制できるようにする。  【解決手段】  パイル２を植設する基布１として、高吸水性材料３を装着又は含有させた布帛４が使用された人工芝Ａを作製し、この人工芝Ａを地ならしされた施工地５に敷設し、植設されたパイル２の隙間に、砂６ａや粒状の弾性体（ゴムチップ）６ｂ等、高吸水性材料以外の粒状物６を充填して、人工芝グランドＢを構成する。  【選択図】  図１
2007126850.tif 000002
【特許請求の範囲】
【請求項１】
パイルを植設する基布として、高吸水性材料を装着又は含有させた布帛が使用されていることを特徴とする人工芝。
【請求項２】
人工芝グランドの施工に際して、請求項１に記載の人工芝を施工地に敷設し、植設されたパイルの隙間に粒状物を充填することを特徴とする人工芝グランドの施工方法。
【請求項３】
粒状物が、砂及び／又は弾性体を含み、高吸水性材料を含まないことを特徴とする請求項２に記載の人工芝グランドの施工方法。
【請求項４】
粒状物が、ゴムチップと、カルシウム導入炭のチップ、木炭のチップ、炭酸カルシウムから選ばれた少なくとも１種とを含み、高吸水性材料を含まないことを特徴とする請求項２に記載の人工芝グランドの施工方法。
【発明の詳細な説明】
【技術分野】
【０００１】
本発明は、人工芝とそれを用いた人工芝グランドの施工方法に関するものである。
【背景技術】
【０００２】
人工芝を敷設したグランドにおいては、夏季の炎天下、グランド表面が異常に高温となって、プレイヤーを悩ますことがある。殊に、５０〜７０ｍｍの毛足を持つ、所謂ロングパイルの人工芝を敷設した人工芝グランドにおいては、その傾向が大である。
【０００３】
即ち、近年では、人工芝グランドにおいても、より天然芝に近い感触やプレー性能が求められるところから、５０〜７０ｍｍの毛足を持つ、所謂ロングパイルの人工芝が多く採用されるに至っている。このロングパイル人工芝グランドにおいては、特許文献１に見られるように、ロングパイルの倒伏を防止すると共に、グランドのクッション性を天然芝に近い感触とするために、植設されたパイルの隙間に、砂やゴムチップを充填している。この充填されたゴムチップは主として経済的な理由からタイヤ等の廃棄ゴムが使用され、このゴムは黒色に着色されている。
【０００４】
このような構成にしたロングパイル人工芝グランドにおいては、天然芝に近い感触やプレー性能を実現できる反面、夏季の炎天下においては、主として黒色のゴムチップが太陽熱を吸収保持するために、グランド表面が異常に高温となりやすいのである。
【０００５】
この改善方法として、人工芝の芝目内（パイルの隙間）に高吸水性ポリマーの微粒子を散布し、その保有水分によって摩擦熱冷却効果を発揮させる技術（特許文献２）を応用して、熱を吸収しやすい黒色のゴムチップに高吸水性ポリマーを混合し、この高吸水性ポリマーに吸収させた水分の蒸発によりその周辺の温度を低下させるという試みがなされている。
【０００６】
これによる場合は、グランド表面の温度上昇を抑制できるが、パイル間に充填された高吸水性ポリマーが吸水することにより、グランド表面がベタついたり、滑りやすくなったりして、グランドコンディションを悪化させるという新たな問題を招来していた。
【０００７】
【特許文献１】特開２００３−１７１９０８号公報
【特許文献２】特許第３２４５９７４号公報
【発明の開示】
【発明が解決しようとする課題】
【０００８】
本発明は、上記の点に留意して成されたものであって、人工芝グランドのグランドコンディションを阻害せずに、つまり、グランド表面がベタついたり、滑りやすくなったりして、グランドコンディションを悪化させるという新たな問題を招来することなく、夏季の炎天下における表面温度の異常な上昇を抑制できるようにすることを課題とする。
【課題を解決するための手段】
【０００９】
上記の課題を解決するために、本発明が講じた技術的手段は、次の通りである。即ち、請求項１に記載の発明による人工芝は、パイルを植設する基布として、高吸水性材料を装着又は含有させた布帛が使用されていることを特徴としている。
【００１０】
基布に植設されるパイルの毛足（パイルの基布からの立上り長さ）は、必要に応じて任意に設定できるが、短尺タイプの人工芝では、パイルの基布からの立上り長さが１０〜２０ｍｍとされ、ロングパイルの人工芝では、パイルの基布からの立上り長さが５０〜７０ｍｍとされる。
【００１１】
請求項２に記載の発明による人工芝グランドの施工方法は、人工芝グランドの施工に際して、請求項１に記載の人工芝を施工地に敷設し、植設されたパイルの隙間に粒状物を充填することを特徴としている。
【００１２】
請求項３に記載の発明による人工芝グランドの施工方法は、請求項２に記載の人工芝グランドの施工方法において、粒状物が、砂及び／又は弾性体を含み、高吸水性材料を含まないことを特徴としている。
【００１３】
請求項４に記載の発明による人工芝グランドの施工方法は、請求項２に記載の人工芝グランドの施工方法において、粒状物が、ゴムチップと、カルシウム導入炭のチップ、木炭のチップ、炭酸カルシウムから選ばれた少なくとも１種とを含み、高吸水性材料を含まないことを特徴としている。
【発明の効果】
【００１４】
請求項１に記載の発明によれば、パイルを植設する基布として、高吸水性材料を装着又は含有させた布帛が使用されているので、人工芝をグランド等に敷設した状態において、降雨や散水により、基布に装着又は含有させた高吸水性材料が吸水することになり、その後、人工芝が乾燥状態になると、吸水した水分が徐々に放出されて蒸発し、この蒸発によって周辺から熱を奪うことにより、人工芝の表面温度を低下させ、表面温度の上昇を抑制することができる。
【００１５】
また、植設したパイルの隙間に高吸水性材料の微粒子を充填するのではなく、パイルを植設する基布に、高吸水性材料を装着又は含有させた布帛を用いているので、プールサイドのように、砂やその他の粒状物を持ち込みたくない場所においても、上記の表面温度上昇抑制効果を発揮させることが可能である。
【００１６】
請求項２に記載の発明によれば、人工芝グランドの施工に際して、請求項１に記載の人工芝を施工地に敷設し、植設されたパイルの隙間に粒状物を充填するので、降雨や散水により、基布に装着又は含有させた高吸水性材料が吸水し、その後、人工芝グランドが乾燥状態になれば、吸水した水分が徐々に放出されて蒸発し、この蒸発によって周辺から熱を奪うことにより、人工芝グランドの表面温度を低下させ、表面温度の上昇を抑制できる。
【００１７】
このように、パイルを植設する基布に、高吸水性材料を装着又は含有させた布帛を用いているので、請求項３に記載の発明のように、植設したパイルの隙間に充填する粒状物として、高吸水性材料を用いていなくても、グランド表面の温度上昇を抑制できるのであり、パイル間にゴムチップを充填したロングパイル人工芝グランドにおいても、黒色のゴムチップに高吸水性ポリマーを混合して、温度上昇を抑制する場合のように、パイル間に充填された高吸水性ポリマーが吸水することにより、グランド表面がベタついたり、滑りやすくなったりして、グランドコンディションを悪化させる虞がなく、プレイヤーに快適なプレー環境を提供できる。
【００１８】
また、請求項２に記載の発明による人工芝グランドは、基布近くが常時湿潤状態に保たれているので、パイル間に充填された砂などの粒状物の飛散、移動が防止され、安定なグランドコンディションを維持できる。
【００１９】
しかも、請求項４に記載の発明のように、粒状物として、ゴムチップ以外に、特許第３５６６８８４号に記載されたカルシウム導入炭のチップや木炭のチップを混入しておけば、施工後の初期において発生するゴム臭を吸着できる効果があり、炭酸カルシウムを混入しておけば、酸性雨などをアルカリ性に変えることができるので、ゴムチップから重金属が溶出しにくいようにすることができ、ゴムチップから溶出した重金属（特に、Ｚｎ）は炭酸カルシウムと反応し、水に溶けない成分となって沈殿するため、排水に重金属が含まれないように保護することができる。
【発明を実施するための最良の形態】
【００２０】
以下、本発明の実施形態を図面に基づいて説明する。図１は、本発明に係る人工芝Ａとそれを用いた人工芝グランドＢを例示する。人工芝Ａは、基布１と基布１に植設されたパイル２とから構成され、基布１として、高吸水性材料３を含有させた布帛４が使用されている。人工芝グランドＢは、前記人工芝Ａを地ならしされた施工地５に敷設し、植設されたパイル２の隙間に粒状物６をパイル２が埋没しない厚さに充填することによって施工されたものである。
【００２１】
ここで、地ならしされた施工地５とは、平らにされた地盤（土の面）の他、コンクリート床面や、地盤上に適宜配置された暗渠と、砂利と、砂利の表面を固めるアスファルトコンクリートで構成されたもの等を包含する意味である。
【００２２】
粒状物６としては、砂６ａ又は粒状弾性体（例えば、ゴムチップ）６ｂを単独で用いてもよいが、図１の実施形態では砂６ａとゴムチップ等の粒状弾性体６ｂの混合物が用いられている。粒状物６として、少なくともゴムチップが用いられている場合、粒状物６に、カルシウム導入炭のチップや木炭のチップを混入しておけば、施工後の初期において発生するゴム臭を吸着できる効果があるし、炭酸カルシウムを混入しておけば、酸性雨などをアルカリ性に変えることができるので、ゴムチップから重金属が溶出しにくいようにすることができ、ゴムチップから溶出した重金属（特に、Ｚｎ）は炭酸カルシウムと反応し、水に溶けない成分となって沈殿するため、排水に重金属が含まれないように保護することができる。何れの場合も、パイル２の隙間に充填する粒状物６としては高吸水性材料３を用いないことが、グランド表面のベタツキや滑りやすくなることを防止する上で、望ましい。
【００２３】
布帛４に十分な強度があれば、後述する他の実施形態のように、布帛４単独で基布１を構成してもよいが、図１の実施形では、布帛４の裏面に補強材７を積層して前記基布１を構成している。補強材７としては、例えば、メッシュ状の布帛、透水性シート（不織布など）、織布等が使用される。
【００２４】
人工芝Ａとして植設するパイル２の毛足（基布１からの立上り長さＨ）は、短尺タイプの人工芝Ａでは、１０〜２０ｍｍに設定され、所謂ロングパイル人工芝Ａでは、５０〜７０ｍｍに設定される。これら何れの場合も、パイル２の色は天然芝に類似した緑色が使用される。
【００２５】
パイル２の材質としては、ポリプロピレン、ポリエチレン、ナイロン等が使用できる。経済性と耐久性を考慮すると、ポリエチレンが適している。パイル２は、スプリットヤーン、フラットヤーン、モノフィラメントが単独又は混合して使用され、植設（タフティング）の列をこれらのヤーンごとに変えてタフティングすることもある。パイル２の糸幅は、スプリットヤーンの場合で３〜８ｍｍ、フラットヤーンの場合で０．５〜３ｍｍ、モノフィラメントの場合で、０．１〜２ｍｍ程度に設定され、３インチ間隔に８本又は４本植設される。
【００２６】
基布１に使用する布帛４としては、ポリエステル等の耐腐食性の素材を使用した不織布又は比較的目合の細かい織布が使用でき、目付量は、強度及び透水性の観点から、１００ｇ／ｍ２〜３００ｇ／ｍ２とされる。高吸水性材料３としては、高吸水性繊維、グルタミン酸ナトリウムなどの高吸水性化合物、高吸水性ポリマー（ポリアクリル酸系、ポリエチレン系、ポリグルタミン酸系など）が採用でき、自重の５０〜２０００倍の吸水能力を持つものが使用される。特に、吸排水を繰り返しても吸水性能の低下しない高吸水性材料が望ましい。布帛４に含有させる（又は後述する例のように装着させる）高吸水性材料３の量は、５〜５０ｇ／ｍ２とされるが、高吸水性繊維を用いて布帛４を形成させる事も可能である。
【００２７】
高吸水性材料３を布帛４に含有させるに当って、図１の実施形態では、布帛４として用いる織布又は不織布の繊維間に繊維状又は粉末状の高吸水性材料３を介在させている。
【００２８】
上記の人工芝グランドＢは、人工芝Ａの基布１として、高吸水性材料３を含有させた布帛４が使用されているので、降雨や散水により、基布１に含有させた高吸水性材料３が吸水することになり、その後、人工芝グランドＢが乾燥状態になると、吸水した水分が徐々に放出されて蒸発し、この蒸発によって周辺から熱を奪うことにより、人工芝グランドＢの表面温度を低下させ、表面温度の上昇を抑制することができる。
【００２９】
このように、パイル２を植設する基布１に、高吸水性材料３を含有させた布帛４を用いているので、植設したパイル２の隙間に充填する粒状物６として、高吸水性材料３を用いていなくても、グランド表面の温度上昇を抑制できるのである。また、パイル２間にゴムチップを充填したロングパイル人工芝グランドＢにおいても、黒色のゴムチップに高吸水性ポリマーを混合して、温度上昇を抑制する場合のように、パイル間に充填された高吸水性ポリマーが吸水することにより、グランド表面がベタついたり、滑りやすくなったりして、グランドコンディションを悪化させる虞がなく、プレイヤーに快適なプレー環境を提供できる。
【００３０】
また、上記の人工芝グランドＢは、基布１近くが常時湿潤状態に保たれているので、パイル２間に充填された砂などの粒状物６の飛散、移動が防止され、良好かつ安定したグランドコンディションを維持できることになる。
【００３１】
また、植設したパイル２の隙間に高吸水性材料３の微粒子を充填するのではなく、パイル２を植設する基布１に、高吸水性材料３を含有させた布帛４を用いているので、プールサイドのように、砂やその他の粒状物６を持ち込みたくない場所においても、上記の表面温度上昇抑制効果を発揮させることが可能である。
【００３２】
図２は、本発明に係る人工芝Ａの他の例を示し、布帛４単独で基布１を構成した点に特徴がある。この人工芝Ａにおけるその他の構成及び当該人工芝Ａを用いた人工芝グランドの施工方法は、図１に示した人工芝Ａ及び人工芝グランドＢと同じであるため、図示説明を省略する。
【００３３】
図３は、本発明に係る人工芝Ａの他の例を示し、基布１として、不織布の繊維間に繊維状又は粉末状の高吸水性材料３を介在させて成る布帛４の上下両面に織布又は透水性シート８ａ，８ｂを積層したものを用いた点に特徴がある。図示しないが、下面に図１で示したメッシュ状の補強材７を積層して実施してもよい。この人工芝Ａにおけるその他の構成及び当該人工芝Ａを用いた人工芝グランドの施工方法は、図１に示した人工芝Ａ及び人工芝グランドＢと同じであるため、図示説明を省略する。
【００３４】
図４は、本発明に係る人工芝Ａの他の例を示し、基布１として、高吸水性材料３を装着させた布帛４を使用した点に特徴がある。布帛４に高吸水性材料３を装着させるに当って、図示の例では、不織布の繊維間に繊維状又は粉末状の高吸水性材料３を介在させて成る吸水パッド９を布帛４の表面に接着等の手段により積層している。この人工芝Ａにおけるその他の構成及び当該人工芝Ａを用いた人工芝グランドの施工方法は、図１に示した人工芝Ａ及び人工芝グランドＢと同じであるため、図示説明を省略する。
【００３５】
図５は、本発明に係る人工芝Ａの他の例を示し、布帛４に高吸水性材料３を装着させるに当って、布帛４の表面に直接、繊維状又は粉末状の高吸水性材料３を接着剤で接着した点に特徴がある。図５に示した例では、高吸水性材料３の上に、織布又は透水性シート８ａを積層して、高吸水性材料３の剥落を防止しているが、人工芝グランドを施工した状態においては、高吸水性材料３の上部がパイル２間に充填された粒状物６で覆われ、保護されるので、織布又は透水性シート８ａを省略して実施することも可能である。この人工芝Ａにおけるその他の構成及び当該人工芝Ａを用いた人工芝グランドの施工方法は、図１に示した人工芝Ａ及び人工芝グランドＢと同じであるため、図示説明を省略する。
【００３６】
尚、図示しないが、上述した各々の実施形態において、余剰の水をスムーズに排水するために、布帛４に適宜間隔で透水孔を設けることもある。
【図面の簡単な説明】
【００３７】
【図１】本発明に係る人工芝とそれを用いた人工芝グランドの縦断面図である。
【図２】人工芝の他の例を示す縦断側面図である。
【図３】人工芝の他の例を示す縦断側面図である。
【図４】人工芝の他の例を示す縦断側面図である。
【図５】人工芝の他の例を示す縦断側面図である。
【符号の説明】
【００３８】
１  基布
２  パイル
３  高吸水性材料
６  粒状物
【図１】
2007126850.tif 000003
【図２】
2007126850.tif 000004
【図３】
2007126850.tif 000005
【図４】
2007126850.tif 000006
【図５】
2007126850.tif 000007